(57)【要約】【課題】間柱Ｐに、配線用ボックスやケーブル類、保護管類を自由に選択して固定することが可能で、配線用ボックスをビス１本で簡単に固定できる間柱用配線システムを提供する。【解決手段】間柱Ｐ側面に固定する帯状支持金具１０と、該帯状支持金具１０に着脱自在に装着されて配線具類を帯状支持金具１０に固定する各種の取付け具とを設ける。帯状支持金具１０に開穿された長孔状の取付け孔１２に各種の取付け具を選択自在に装着し、該取付け具に適応した配線具類を固定する。帯状支持金具１０に、長孔状の取付け孔１２を長手方向に沿って開穿する。該取付け孔１２の前面に前記配線具類を選択自在に装着する略帯板状の支持アーム１１を設ける。該支持アーム１１の端部から屈曲延長されて前記間柱側面にビス止めされ、支持アーム１１を略水平に固定する板状の固定部１５を設ける。【選択図】  図１
2007239325.tif 000002
【特許請求の範囲】
【請求項１】
間柱に、配線用ボックス、配線用保護管、配線ケーブルからなる配線具類を選択自在に装着する間柱用配線システムにおいて、間柱側面に固定する帯状支持金具と、該帯状支持金具に着脱自在に装着され前記配線具類を帯状支持金具に固定する各種の取付け具とを設け、帯状支持金具に開穿された長孔状の取付け孔に各種の取付け具を選択自在に装着し、該取付け具に適応した配線具類を固定することを特徴とする間柱用配線システム。
【請求項２】
前記帯状支持金具は、長孔状の取付け孔が長手方向に沿って開穿された板面に前記配線具類を選択自在に装着する略帯板状の支持アームと、該支持アームの端部から屈曲延長されて前記間柱側面にビス止めされ該支持アームを略水平に固定する板状の固定部とから成り、該固定部の幅を変更する屈曲部を固定部に形成し、前記間柱に装着する支持アームの固定位置を調整するように設けた請求項１記載の間柱用配線システム。
【請求項３】
前記取付け具は、前記配線用ボックスを固定するボックス取付け具として設けられ、前記支持アームの長手両側縁に沿ってスライドする一対のスライド部と、前記取付け孔の位置に沿って移動する支持板とを有し、該支持板に、配線用ボックスのねじ孔に挿入する支持突起を突設すると共に、配線用ボックスのねじ孔に挿通するタッピンねじから成る止着用ビスをねじ止めする長孔状のビス用孔を開穿し、支持アームの裏側に配したボックス取付け具にて支持アームの前面に配線用ボックスを固定するように設けた請求項１記載の間柱用配線システム。
【請求項４】
前記取付け具は、配線用保護管を固定する保護管取付け具として設けられ、配線用保護管の側面を挟着保持する保持体と、前記支持アームの取付け孔に挿入して固定する固定体とから成り、該固定体に、取付け孔に挿入後回転させることで取付け孔に係止する回転軸部と係止板とを設けた請求項１記載の間柱用配線システム。
【請求項５】
前記取付け具は、配線ケーブルを装着するケーブル取付け具として設けられ、配線ケーブルの側面を挟着して複数本の配線ケーブルを保持する保持体と、前記支持アームの取付け孔に挿入して固定する固定体とから成り、該固定体に、取付け孔に挿入後回転させることで取付け孔に係止する回転軸部と係止板とを設けた請求項１記載の間柱用配線システム。
【発明の詳細な説明】
【技術分野】
【０００１】
本発明は、たとえばマンションの間仕切り壁等に使用されている間柱に、配線用ボックス類や配線ケーブル、あるいは配線用保護管などを装着するのに好適な間柱用配線システムに関する。
【背景技術】
【０００２】
電気工事において、間柱部に装着される配線具類として、スイッチボックス等の配線用ボックス、低圧屋内配線（ＶＶＦケーブル）や弱電流電線（ＬＡＮ,ＴＶ共聴）等のケーブル類、これらのケーブルを保護する保護管類がある。そして各配線具類を間柱に装着するために、それぞれの配線具類に適した施工手段や支持具等が提供されている。
【０００３】
たとえば、配線用ボックスを装着する際に、ボックスを間柱にタッピンねじで直接固定する施工手段や、間柱相互に全ねじを水平に架設し、この全ねじに金具で固定する施工手段、あるいは、間柱の側面に平面略Ｌ字形状を成した帯状支持金具を取り付け、この帯状支持金具の前面に固定金具を介してボックスを固定する手段などがある。現状では、帯状支持金具の使用が一般的であるが、マンション等で使用されるスイッチボックスなどは規格外ということもあり、スイッチボックスに予め設けられている取り付け用のボルト孔の配置がメーカーごとにまちまちになっている。そのため、各メーカーのスイッチボックスに対応する取付け具等は、メーカーごとに異なっていた。
【０００４】
たとえば、特許文献１に示す配線用ボックス間柱固定金具のように、メーカーを問わずに配線用ボックスを固定できるようにした取付け具も提案されている。この取付け具は、帯状支持金具の長孔に皿ビスを貫通させて配線用ボックス側に配した袋ナットにねじ止めすることで、帯状支持金具に配線用ボックスを固定する取付け具である。このように、帯状支持金具の長孔を利用することで、メーカーを問わずに配線用ボックスを固定できる構造になっている。ところが、皿ビスや袋ナットを使用した固定手段は、取り付け作業の効率が悪い上に、配線用ボックス１個の取付け作業に２ヶ所も固定する必要があることから、この取付け具は配線用ボックスの装着に多くの手間を要するものであった。
【０００５】
そこで、特許文献２に記載された配線用ボックス間柱固定金具も提案されている。この固定金具では、配線用ボックスを取り付ける際の作業効率を高めるために提案された取付け具を使用するもので、帯状支持金具に固定板をスライド自在に装着し、該固定板と配線用ボックスとを１本のタッピンねじで固定できるように改良した取付け具が記載されている。
【０００６】
また、帯状支持金具に固定して使用するスイッチボックスは、深さ36mmと27mmの2種類が主流になっている。これらのスイッチボックスを間柱に取り付ける際に、スイッチボックスの開口面を間仕切壁の壁面に合わせて位置調整を行うので、スイッチボックスの深さに合わせた帯状支持金具を選定する必要がある。そのため、どのような深さのボックスにも対応できるように、間柱取り付け用のゲージ具が特許文献３に記載されている。このゲージ具は、深さの異なる各ボックスの深さに合わせた間隔を予めゲージに設けておき、装着するボックスの間隔を選択して間柱に罫書きを施すことで、ボックスの取り付け位置を調整するものである。
【０００７】
一方、間柱に、ケーブル類や保護管類を固定するには、これらケーブル類や保護管類を挟着保持する専用の取付け具を間柱に装着して固定する手段や、図１９に示すごとく、間柱Ｐ相互に全ねじＴを水平に架設し、この全ねじＴに結束帯等を絡めてケーブル類や配線用保護管Ｒ類を固定する手段が一般的である。
【特許文献１】特開２００４−１３５３９５号公報
【特許文献２】特開２００４−８０９６１号公報
【特許文献３】特許３６１４６０１号公報
【発明の開示】
【発明が解決しようとする課題】
【０００８】
ところが、特許文献２に示された配線用ボックス間柱固定金具では、配線用ボックスを取り付ける作業効率を高めても、取り付けできる配線用ボックスが一種類に限定される不都合があった。すなわち、特許文献２によると、配線用ボックスにねじ止めするタッピンねじは１本でも、このねじ止め位置に隣接する他のねじ孔に係合する係合突起を前記固定板に突設し、この係合突起とタッピンねじとの２ヶ所で配線用ボックスを固定する構造になっている。したがって、この間柱固定金具で取り付け可能な配線用ボックスは、これら係合突起とタッピンねじとの間隔が一致する配線用ボックスに限られるものである。
【０００９】
また、特許文献３に示されるゲージを使用した取り付け方法では、間柱の側面に装着位置を合わせて罫書く作業が必要なため、このゲージの位置合わせ作業や罫書き作業に多くの手間を要するものである。しかも、作業者がこのゲージや罫書き用具を常に携帯しなければならない不都合もある。
【００１０】
一方、間柱に直接装着する専用の取付け具を用い、この取付け具にケーブル類や保護管類を挟着保持する手段によると、専用の取付け具で保持可能なケーブル等の数が数本に限られてしまうことになる。また、図１９に示す如く、間柱Ｐ相互に全ねじＴを架設し、この全ねじＴにケーブル類や配線用保護管Ｒ類を結束帯等で固定する手段によると、間柱Ｐ相互に全ねじＴを架設する作業の作業効率が悪く、しかも、全ねじＴに結束帯等を絡めてケーブル類や保護管類を１本ずつ固定するために多くの手間がかかるものであった。
【００１１】
そこで本発明は上述の課題を解消すべく創出されたもので、間仕切り壁等を構築する間柱に配線用ボックスやケーブル類、保護管類を自由に選択して固定することが可能になり、しかも、配線用ボックスをビス１本で簡単に固定できる間柱用配線システムの提供を目的とする。
【課題を解決するための手段】
【００１２】
上述の目的を達成すべく本発明における第１の手段は、間柱Ｐに、配線用ボックスＱ、配線用保護管Ｒ、配線ケーブルＳからなる配線具類を選択自在に装着する間柱用配線システムにおいて、間柱Ｐ側面に固定する帯状支持金具１０と、該帯状支持金具１０に着脱自在に装着されて配線具類を帯状支持金具１０に固定する各種の取付け具とを設け、帯状支持金具１０に開穿された長孔状の取付け孔１２に各種の取付け具を選択自在に装着し、該取付け具に適応した配線具類を固定することにある。
【００１３】
第２の手段において、前記帯状支持金具１０は、長孔状の取付け孔１２が長手方向に沿って開穿され、該取付け孔１２の前面に前記配線具類を選択自在に装着する略帯板状の支持アーム１１と、該支持アーム１１の端部から屈曲延長されて前記間柱側面にビス止めされ、支持アーム１１を略水平に固定する板状の固定部１５とから成り、該固定部１５の幅を変更する屈曲部１６を固定部１５に形成し、前記間柱Ｐに装着する支持アーム１１の水平方向の位置を調整するように設けている。
【００１４】
第３の手段の取付け具は前記配線用ボックスＱを固定するボックス取付け具２０として設けられ、前記支持アーム１１の長手両側縁に沿ってスライドする一対のスライド部２１と、前記取付け孔１２の位置に沿って移動する支持板２２とを有し、該支持板２２に、配線用ボックスＱのねじ孔に挿入する支持突起２３を突設すると共に、配線用ボックスＱのねじ孔に挿通するタッピンねじから成る止着用ビス２５をねじ止めする長孔状のビス用孔２４を開穿し、支持アーム１１の裏側に配したボックス取付け具２０にて支持アーム１１の前面に配線用ボックスＱを固定するように設けている。
【００１５】
第４の手段の取付け具は、配線用保護管Ｒを固定する保護管取付け具３０として設けられ、配線用保護管Ｒの側面を挟着保持する保持体３１と、前記支持アーム１１の取付け孔１２に挿入して固定する固定体３２とから成り、該固定体３２に、取付け孔１２に挿入後回転させることで取付け孔１２に係止する回転軸部３２Ａと係止板３２Ｂとを設けたものである。
【００１６】
第５の手段の取付け具は、前記取付け具は、配線ケーブルＳを装着するケーブル取付け具４０として設けられ、配線ケーブルＳの側面を挟着して複数本の配線ケーブルＳを保持する保持体４１と、前記支持アーム１１の取付け孔１２に挿入して固定する固定体４２とから成り、該固定体４２に、取付け孔１２に挿入後回転させることで取付け孔１２に係止する回転軸部４２Ａと係止板４２Ｂとを設けたことを課題解消のための手段とする。
【発明の効果】
【００１７】
本発明の請求項１によると、間柱Ｐ側面に固定する帯状支持金具１０と、該帯状支持金具１０に着脱自在に装着されて配線具類を帯状支持金具１０に固定する各種の取付け具とを設け、帯状支持金具１０に開穿された長孔状の取付け孔１２に各種の取付け具を選択自在に装着し、該取付け具に適応した配線具類を固定することで、間柱Ｐに、配線用ボックスやケーブル類、保護管類から成る配線具類の中から自由に選択して固定することが可能になった。
【００１８】
請求項２によると、前記帯状支持金具１０は、長孔状の取付け孔１２が長手方向に沿って開穿された略帯板状の支持アーム１１と、前記間柱側面にビス止めし、支持アーム１１を略水平に固定する板状の固定部１５とから成り、固定部１５の幅を変更する屈曲部１６を固定部１５に形成し、前記間柱Ｐに装着する支持アーム１１の固定位置を調整するように設けているので、例えば深さの異なるスイッチボックスでも、同じ帯状支持金具１０を使用して簡単に固定することができる。
【００１９】
請求項３に記載のボックス取付け具２０によると、前記支持アーム１１の長手両側縁に沿ってスライドする一対のスライド部２１と、前記取付け孔１２の位置に沿って移動する支持板２２と、を有し、該支持板２２に、配線用ボックスＱのねじ孔に挿入する支持突起２３を突設すると共に、配線用ボックスＱのねじ孔に挿通するタッピンねじから成る止着用ビス２５をねじ止めする長孔状のビス用孔２４を開穿し、支持アーム１１の裏側に配したボックス取付け具２０にて支持アーム１１の前面に配線用ボックスＱを固定するように設けているので、各メーカーでねじ孔相互の間隔が異なる配線用ボックスＱでもビス１本で簡単に固定することができる。しかも、ボックス取付け具２０は、支持アーム１１の裏側から配線用ボックスＱを固定するので、この支持アーム１１前面に装着する配線用ボックスＱの位置決めを正確に行うことが可能になる。また、長孔状のビス用孔２４にタッピンねじから成る止着用ビス２５をねじ込むだけで配線用ボックスＱを固定することができる。しかも、長孔状のビス用孔２４のどの位置にもねじ込むことができるため、配線用ボックスＱに開穿されたねじ孔のピッチがどのような場合でも、固定することができる。更に、この長孔状のビス用孔２４に沿ってボックス取付け具２０の固定位置をスライド調整できるので、配線用ボックスＱの位置調整が容易になる利点もある。
【００２０】
請求項４に記載の保護管取付け具３０によると、配線用保護管Ｒの側面を挟着保持する保持体３１と、前記支持アーム１１の取付け孔１２に挿入して固定する固定体３２とから成り、該固定体３２に、取付け孔１２に挿入後回転させることで取付け孔１２に係止する回転軸部３２Ａと係止板３２Ｂとを設けたものであるから、帯状支持金具１０に配線用保護管Ｒを簡単に固定することができる。
【００２１】
請求項５に記載のケーブル取付け具４０によると、配線ケーブルＳの側面を挟着して複数本の配線ケーブルＳを保持する保持体４１と、前記支持アーム１１の取付け孔１２に挿入して固定する固定体４２とから成り、該固定体４２に、取付け孔１２に挿入後回転させることで取付け孔１２に係止する回転軸部４２Ａと係止板４２Ｂとを設けたものであるから、帯状支持金具１０に複数の配線ケーブルＳを簡単に固定することができるものである。
【００２２】
このように本発明によると、配線用ボックスやケーブル類、保護管類を自由に選択して間柱Ｐに固定することが可能になり、しかも、配線用ボックスの取付けに際してはビス１本で簡単に固定できるなどといった種々の効果を奏するものである。
【発明を実施するための最良の形態】
【００２３】
本発明支持装置の最良の形態は、間柱Ｐ側面に固定する帯状支持金具１０と、該帯状支持金具１０に着脱自在に装着されて配線具類を帯状支持金具１０に固定する各種の取付け具とを設ける。帯状支持金具１０に開穿された長孔状の取付け孔１２に各種の取付け具を選択自在に装着し、該取付け具に適応した配線具類を固定する。支持アーム１１に、長孔状の取付け孔１２を長手方向に沿って開穿する。該支持アーム１１の端部から屈曲延長されて前記間柱側面にビス止めされ、支持アーム１１を略水平に固定する板状の固定部１５を設ける。該固定部１５の幅を変更する屈曲部１６を固定部１５に形成し、前記間柱Ｐに対する支持アーム１１の固定着位置を調整するように設ける。各種の取付け具として、配線用ボックスＱを固定するボックス取付け具２０と、配線用保護管Ｒを固定する保護管取付け具３０と、配線ケーブルＳを固定するケーブル取付け具４０とを設け、支持アーム１１に選択自在に固定することで、当初の目的を達成するものである。
【実施例】
【００２４】
以下、本発明の一実施例を説明する。本発明システムは、配線用ボックスＱや配線用保護管Ｒ、配線ケーブルＳなどの配線具類を、間柱Ｐに選択自在に装着するシステムとして設けられている。すなわち、間柱Ｐ側面に固定する帯状支持金具１０と、該帯状支持金具１０に着脱自在に装着されるボックス取付け具２０や保護管取付け具３０、ケーブル取付け具４０から成る各種取付け具を選択することによって、各種の配線具類を装着するものである。
【００２５】
帯状支持金具１０は、支持アーム１１と固定部１５とで構成されている（図１参照）。そして、支持アーム１１の長手方向に沿って長孔状の取付け孔１２を開穿する。この取付け孔１２に各種の取付け具を固定し、支持アーム１１の前面に前記配線具類を選択自在に装着するものである。更に支持アーム１１の長手方向に沿った上下の側縁部を後方に屈曲して屈曲側縁部１１Ａを形成している。この屈曲側縁部１１Ａによると、後述するボックス取付け具２０をスライド装着する際の作業性を高め、支持アーム１１の強度を高める効果もある。
【００２６】
固定部１５は、前記間柱Ｐ側面に固定用ビス１４でビス止めされる板状の部材であり、支持アーム１１の端部から屈曲延長されている。この固定部１５に、固定部１５の幅を変更する屈曲部１６を形成している。すなわち、配線用ボックスＱの開口部が壁面に位置するように設置するために、通常、この配線用ボックスＱの深さに固定部１５の幅をそろえている（図５照）。図示のように、固定部１５の一端部を間柱Ｐの壁面の位置に位置あわせすると、支持アーム１１に装着した配線用ボックスＱの開口部の位置が壁面の位置に設置されるものである。
【００２７】
装着する配線用ボックスＱの深さが変化すると、配線用ボックスＱの開口部の位置が壁面の位置からずれることになる。そこで、本発明では、配線用ボックスＱの深さの変化に対応すべく、固定部１５に屈曲部１６を形成して固定部１５の幅を変更可能にしたものである。図示例では、深さ36mmと27mmとの２種類のスイッチボックスに対応できるように屈曲部１６を設けている。すなわち、屈曲部１６を屈曲しない状態で使用すると、深さ36mmのスイッチボックスに適合し（図５参照）、屈曲部１６を屈曲して使用すると、深さ27mmのスイッチボックスに適合して間柱Ｐで構成する壁面の位置にスイッチボックスの開口部が配置されるものである（図６参照）。また、この屈曲部１６の形成位置を変えることで、他の深さの配線用ボックスＱに対応させることも可能であり、屈曲部１６を増加することで３種類以上の深さに適応できるようにすることも可能である。図示の屈曲部１６は屈曲線に沿って長孔状に開穿したものであるが（図１参照）、屈曲部１６を肉薄状に形成するなど、屈曲手段は適宜変更することができる。
【００２８】
図２に示す取付け具は、配線用ボックスＱを固定するボックス取付け具２０として設けられている。このボックス取付け具２０は、スライド部２１と支持板２２にて構成する。スライド部２１は、前記支持アーム１１の屈曲側縁部１１Ａに沿ってスライドする一対の部材であり（図３参照）、支持アーム１１におけるボックス取付け具２０の位置をスライド調整する。図示のスライド部２１は、屈曲側縁部１１Ａに後方から係止する略鉤形状を成している。このようなスライド部２１によると、屈曲側縁部１１Ａへの装着作業が容易になり、しかも、スライド部２１が支持アーム１１の板面より前方に突出していないので、配線用ボックスＱを装着する際に、このスライド部２１が妨げにならずに済む（図２、図５参照）。
【００２９】
このスライド部２１間に支持板２２が形成されている。この支持板２２は取付け孔１２の位置に配されており、前記支持アーム１１の屈曲側縁部１１Ａ間に嵌合する形状を成している（図４参照）。そして、この支持板２２に、支持突起２３とビス用孔２４とを設けている。支持突起２３は配線用ボックスＱのねじ孔に挿入する部材で支持板２２から取付け孔１２を通して配線用ボックスＱ方向に突出する（図５参照）。
【００３０】
ビス用孔２４は、配線用ボックスＱに挿通する止着用ビス２５をねじ止めする長孔状の孔で、配線用ボックスＱの開口部側から配線用ボックスＱのねじ孔Ｑ１に挿通した止着用ビス２５をねじ止めする（図４参照）。このとき、止着用ビス２５としてタッピンねじを使用する。支持突起２３を配線用ボックスＱのねじ孔Ｑ１に挿入した時点で、このタッピンねじを他のねじ孔Ｑ１に挿入し、ビス用孔２４に締付けることで、メーカーによって異なるねじ孔相互の間隔に適応させることが可能になる（図５参照）。
【００３１】
このように、ボックス取付け具２０を支持アーム１１の裏側に配し、止着用ビス２５と支持突起２３とで配線用ボックスＱを支持アーム１１の前面に固定するものである（図５参照）。また、配線用ボックスＱを固定した後に、止着用ビス２５を緩めることで、支持アーム１１に沿ってボックス取付け具２０をスライド移動し、配線用ボックスＱの水平位置を調整することも可能である。
【００３２】
図７乃至図１２に示す取り付け具は、配線用保護管Ｒを固定する保護管取付け具３０として設けられている。この保護管取付け具３０は、保持体３１と固定体３２とで構成する（図７参照）。保持体３１は、配線用保護管Ｒの側面を挟着保持する部材である。図示例では、支持アーム１１の板面に当接する当接板３１Ａと、この当接板３１Ａの前面に一体に形成された一対の挟持片３１Ｂとを設けている（図８参照）。また、当接板３１Ａには、支持アーム１１の取付け孔１２に挿入して係止せしめる係止突起３１Ｃを突設してあり、使用時の保護管取付け具３０の回転を防止し、強固な固定力が得られるようにしている。
【００３３】
一方、固定体３２は、支持アーム１１の取付け孔１２に挿入して固定する部材であり、当接板３１Ａの後面に突設する回転軸部３２Ａと、支持アーム１１の後面に係止する係止板３２Ｂとから成る（図９参照）。そして、この固定体３２を支持アーム１１の取付け孔１２に挿入後、保護管取付け具３０を９０度回転させると（図１１参照）、係止板３２Ｂと当接板３１Ａとが取付け孔１２を介して支持アーム１１を挟持するものである（図７参照）。支持アーム１１に固定した保護管取付け具３０の保持体３１には、配線用保護管Ｒをワンタッチで装着することができる。尚、図示の保護管取付け具３０の回転軸部３２Ａに、ビス止め孔３３を開穿してあり（図１０参照）、間柱Ｐに固定ビス５０で直接固定することも可能である（図１２参照）。
【００３４】
図１３乃至図１８に示す取付け具は、配線ケーブルＳを装着するケーブル取付け具４０として設けられている。このケーブル取付け具４０は、保持体４１と固定体４２とで構成する（図１３参照）。保持体４１は、配線ケーブルＳの側面を挟着して配線ケーブルＳを保持する部材で、図示例では、支持アーム１１の板面に当接する当接板４１Ａと、この当接板４１Ａの前面に一体に形成された二対の挟持片４１Ｂとを設けている（図１４参照）。また、当接板４１Ａには、支持アーム１１の取付け孔１２に挿入して係止せしめる係止突起４１Ｃを突設してあり、使用時のケーブル取付け具４０の回転を防止し、強固な固定力が得られるようにしている。
【００３５】
一方、固定体４２は、支持アーム１１の取付け孔１２に挿入して固定する部材であり、当接板４１Ａの後面に突設する回転軸部４２Ａと、支持アーム１１の後面に係止する係止板４２Ｂとから成る（図１５参照）。そして、この固定体４２を支持アーム１１の取付け孔１２に挿入後、ケーブル取付け具４０を９０度回転させると（図１７参照）、係止板４２Ｂと当接板４１Ａとが取付け孔１２を介して支持アーム１１を挟持するものである（図１３参照）。支持アーム１１に固定したケーブル取付け具４０の保持体４１には、配線ケーブルＳをワンタッチで装着することができる。尚、図示のケーブル取付け具４０の回転軸部４２Ａに、ビス止め孔４３を開穿してあり（図１６参照）、間柱Ｐに固定ビス５０で直接固定することも可能である（図１８参照）。
【００３６】
尚、本発明は、図示例に限定されるものではなく、帯状支持金具１０やボックス取付け具２０、保護管取付け具３０、ケーブル取付け具４０等の各構成部品の寸法や形状等の設計変更、および材質の変更など任意に行えるものであり、本発明の要旨を変更しない範囲において自由に変更できるものである。
【図面の簡単な説明】
【００３７】
【図１】本発明の帯状支持金具を示す使用斜視図である。
【図２】本発明のボックス取付け具を示す使用斜視図である。
【図３】本発明のボックス取付け具を示す側面図である。
【図４】本発明のボックス取付け具に配線用ボックスを装着する分解斜視図である。
【図５】本発明のボックス取付け具に配線用ボックスを装着した平断面図である。
【図６】帯状支持金具の他の使用状態を示し（イ）は斜視図、（ロ）は平面図である。
【図７】本発明の保護管取付け具を示す使用斜視図である。
【図８】本発明の保護管取付け具を示す平面図である。
【図９】本発明の保護管取付け具を示す側面図である。
【図１０】図８に示す矢視Ｘ−Ｘ線断面図である。
【図１１】本発明の保護管取付け具の装着過程を示す斜視図である。
【図１２】本発明の保護管取付け具の他の装着例を示す斜視図である。
【図１３】本発明のケーブル取付け具を示す使用斜視図である。
【図１４】本発明のケーブル取付け具を示す平面図である。
【図１５】本発明のケーブル取付け具を示す背面図である。
【図１６】図１４に示す矢視Ｘ−Ｘ線断面図である。
【図１７】本発明のケーブル取付け具の装着過程を示す斜視図である。
【図１８】本発明のケーブル取付け具の他の装着例を示す斜視図である。
【図１９】従来の施工例を示す斜視図である。
【符号の説明】
【００３８】
Ｐ  間柱
Ｑ  配線用ボックス
Ｒ  配線用保護管
Ｓ  配線ケーブル  
Ｔ  長ボルト
１０  帯状支持金具
１１  支持アーム
１２  取付け孔
１３  スライド部
１４  固定用ビス
１５  固定部
１６  屈曲部
２０  ボックス取付け具
２１  スライド部
２２  支持板
２３  支持突起
２４  ビス用孔
２５  止着用ビス
３０  保護管取付け具
３１  保持体
３１Ａ  当接板
３１Ｂ  挟持片
３１Ｃ  係止突起
３２  固定体
３２Ａ  回転軸部
３２Ｂ  係止板
３３  ビス止め孔
４０  ケーブル取付け具
４１  保持体
４１Ａ  当接板
４１Ｂ  挟持片
４１Ｃ  係止突起
４２  固定体
４２Ａ  回転軸部
４２Ｂ  係止板
５０  固定ビス
【図１】
2007239325.tif 000003
【図２】
2007239325.tif 000004
【図３】
2007239325.tif 000005
【図４】
2007239325.tif 000006
【図５】
2007239325.tif 000007
【図６】
2007239325.tif 000008
【図７】
2007239325.tif 000009
【図８】
2007239325.tif 000010
【図９】
2007239325.tif 000011
【図１０】
2007239325.tif 000012
【図１１】
2007239325.tif 000013
【図１２】
2007239325.tif 000014
【図１３】
2007239325.tif 000015
【図１４】
2007239325.tif 000016
【図１５】
2007239325.tif 000017
【図１６】
2007239325.tif 000018
【図１７】
2007239325.tif 000019
【図１８】
2007239325.tif 000020
【図１９】
2007239325.tif 000021